(57)【要約】【課題】被装着者のまつ毛の負担を軽減でき、まつ毛と人工まつ毛との装着状態を長時間安定して維持でき、たとえ細いまつ毛であっても、被装着者が目を開けながら短時間で容易に人工まつ毛をまつ毛に自ら装着することができる、まつ毛エクステンション用人工まつ毛の装着方法を提供する。【解決手段】実施の形態のまつ毛エクステンション用人工まつ毛の装着方法は、人工毛の複数本の一端側を束ねた束部を有するまつ毛エクステンション用人工まつ毛を、目を開いた状態の上まつ毛に装着する。そして、前記まつ毛エクステンション用人工まつ毛の装着方法は、前記まつ毛エクステンション用人工まつ毛の前記束部の上側に接着剤を塗布する工程と、前記接着剤を塗布した前記まつ毛エクステンション用人工まつ毛の１本の前記束部の上側を、目を開いた状態の前記上まつ毛の複数本の下側に下方から接着する工程とを有する。【選択図】図６
2018076626.tif 000002
【特許請求の範囲】
【請求項１】
人工毛の複数本の一端側を束ねた束部を有するまつ毛エクステンション用人工まつ毛を、目を開いた状態の上まつ毛に装着する、まつ毛エクステンション用人工まつ毛の装着方法であって、
前記まつ毛エクステンション用人工まつ毛の前記束部の上側に接着剤を塗布する工程と、
前記接着剤を塗布した前記まつ毛エクステンション用人工まつ毛の１本の前記束部の上側を、目を開いた状態の前記上まつ毛の複数本の下側に下方から接着する工程と
を有することを特徴とするまつ毛エクステンション用人工まつ毛の装着方法。
【請求項２】
前記束部を接着する工程において、前記上まつ毛の長手方向に沿って、前記束部の上側を前記上まつ毛の下側に接着することを特徴とする請求項１に記載のまつ毛エクステンション用人工まつ毛の装着方法。
【請求項３】
前記束部を接着する工程において、前記まつ毛エクステンション用人工まつ毛の前記束部以外の部分を把持しながら、前記束部の上側を前記上まつ毛の下側に接着することを特徴とする請求項１または２に記載のまつ毛エクステンション用人工まつ毛の装着方法。
【請求項４】
前記束部を接着する工程において、目を開いた状態の上瞼から前記上まつ毛の先端側の方向に０．５ｍｍ以上１．０ｍｍ以下離れた位置から前記上まつ毛の先端側に向かって、前記束部の上側を前記上まつ毛の下側に接着することを特徴とする請求項１乃至３のいずれか１項に記載のまつ毛エクステンション用人工まつ毛の装着方法。
【請求項５】
前記束部を接着する工程において、被装着者の上半身を直立にした状態で、前記束部の上側を前記上まつ毛の下側に接着することを特徴とする請求項１乃至４のいずれか１項に記載のまつ毛エクステンション用人工まつ毛の装着方法。
【請求項６】
前記束部を接着する工程において、被装着者が自ら前記束部の上側を前記被装着者の上まつ毛の下側に接着することを特徴とする請求項１乃至５のいずれか１項に記載のまつ毛エクステンション用人工まつ毛の装着方法。
【発明の詳細な説明】
【技術分野】
【０００１】
本発明の実施形態は、まつ毛エクステンション用人工まつ毛の装着方法に関する。
【背景技術】
【０００２】
従来から、目元を美しく見せる様々な方法が研究されている。例えば、近年では、まつ毛を飾るまつ毛エクステンションという技術が提案されている。
【０００３】
まつ毛エクステンションとは、まつ毛エクステンション用人工まつ毛（以下、人工まつ毛ともいう）を人のまつ毛（以下、まつ毛ともいう）に装着する技術である。まつ毛エクステンションをまつ毛に施すと、被装着者の目元の印象が変わり、例えば目を大きく見せることができる。
【０００４】
図１０は、従来のまつ毛エクステンション用人工まつ毛の装着方法を示す概略図である。まず、まつ毛エクステンションを行う施術士は、人工まつ毛１０１の表面の全面に接着剤１０６、いわゆる、グルーと呼ばれるまつ毛エクステンション用接着剤を塗布する。続いて、施術士は、図１０に示すように、接着剤１０６を塗布した人工まつ毛１０１の基部を、目を閉じている被装着者の瞼１２３から生えているまつ毛１２１の根本の近傍から先端側に向かって接着させる。そして、人工まつ毛１０１がまつ毛１２１に接着している状態で、接着剤１０６が乾燥すると、人工まつ毛１０１はまつ毛１２１に装着される。
【０００５】
また、図１０に示すように、従来のまつ毛エクステンションでは、被装着者のまつ毛１２１の１本に対して、人工まつ毛１０１の複数本を様々な方向に装着する。例えば、接着剤１０６を塗布した人工まつ毛１０１の先端部をピンセット１１０で把持しながら、目を閉じている被装着者のまつ毛１２１に人工まつ毛１０１を交互に接着させる。
【先行技術文献】
【特許文献】
【０００６】
【特許文献１】特開第５９５５３５５号
【発明の概要】
【発明が解決しようとする課題】
【０００７】
上記のように、従来のまつ毛エクステンションでは、ピンセット１１０を用いてまつ毛１２１の１本に人工まつ毛１０１を接着させるので、人工まつ毛１０１の装着には細かい作業が要求される。特に、被装着者のまつ毛１２１が細い場合、人工まつ毛１０１の装着における難易度は増加する。また、まつ毛１２１の１本あたりに装着させる人工まつ毛１０１の本数が増加するにつれて、被装着者の目を大きく見せるなどのまつ毛エクステンションの効果は向上するものの、人工まつ毛１０１の装着作業の難易度は上がり、人工まつ毛１０１の装着に要する時間は増える。さらに、人工まつ毛１０１の複数本がまつ毛１２１の１本に装着しているので、まつ毛１２１の１本には大きな負担がかかる。
【０００８】
また、人工まつ毛１０１がまつ毛１２１に装着しているとき、人工まつ毛１０１とまつ毛１２１とは、１つの接着箇所、すなわち点接着で互いに接着している。そのため、人工まつ毛１０１とまつ毛１２１との接着箇所で接着不良が生じると、被装着者のまつ毛１２１に装着していた人工まつ毛１０１はまつ毛１２１から外れる。
【０００９】
また、施術士が被装着者のまつ毛１２１にまつ毛エクステンションの施術を施すため、被装着者は施術士にまつ毛エクステンションの施術を依頼する必要があり、例えば被装着者は施術士のいる店に行く必要がある。そして、人工まつ毛１０１や接着剤１０６のような材料の費用の他に、まつ毛エクステンションの施術料の費用が別途かかる。
【００１０】
本発明が解決しようとする課題は、被装着者のまつ毛の負担を軽減でき、まつ毛と人工まつ毛との装着状態を長時間安定して維持でき、たとえ細いまつ毛であっても、被装着者が目を開けながら短時間で容易に人工まつ毛をまつ毛に自ら装着することができる、まつ毛エクステンション用人工まつ毛の装着方法を提供することである。
【課題を解決するための手段】
【００１１】
実施の形態のまつ毛エクステンション用人工まつ毛の装着方法は、人工毛の複数本の一端側を束ねた束部を有するまつ毛エクステンション用人工まつ毛を、目を開いた状態の上まつ毛に装着する。そして、前記まつ毛エクステンション用人工まつ毛の装着方法は、前記まつ毛エクステンション用人工まつ毛の前記束部の上側に接着剤を塗布する工程と、前記接着剤を塗布した前記まつ毛エクステンション用人工まつ毛の１本の前記束部の上側を、目を開いた状態の前記上まつ毛の複数本の下側に下方から接着する工程とを有する。
【発明の効果】
【００１２】
被装着者のまつ毛の負担を軽減でき、まつ毛と人工まつ毛との装着状態を長時間安定して維持でき、たとえ細いまつ毛であっても、被装着者が目を開けながら短時間で容易に人工まつ毛をまつ毛に自ら装着することができる、まつ毛エクステンション用人工まつ毛の装着方法を提供することができる。
【図面の簡単な説明】
【００１３】
【図１】実施の形態のまつ毛エクステンション用人工まつ毛の装着方法で装着するまつ毛エクステンション用人工まつ毛を模式的に示す上面図である。
【図２】実施の形態のまつ毛エクステンション用人工まつ毛の装着方法で装着するまつ毛エクステンション用人工まつ毛を模式的に示す側面図である。
【図３】実施の形態のまつ毛エクステンション用人工まつ毛の装着方法で装着するまつ毛エクステンション用人工まつ毛を構成する束部を模式的に示す断面図の一例である。
【図４】実施の形態のまつ毛エクステンション用人工まつ毛の装着方法で装着するまつ毛エクステンション用人工まつ毛を構成する束部を模式的に示す断面図の他の例である。
【図５】実施の形態のまつ毛エクステンション用人工まつ毛の装着方法における塗布工程を示す概略図である。
【図６】実施の形態のまつ毛エクステンション用人工まつ毛の装着方法における接着工程を示す概略図である。
【図７】実施の形態のまつ毛エクステンション用人工まつ毛の装着方法における接着工程を示す概略図である。
【図８】実施の形態のまつ毛エクステンション用人工まつ毛の装着方法における接着工程を示す概略図である。
【図９】実施の形態のまつ毛エクステンション用人工まつ毛の装着方法における接着工程を示す概略図である。
【図１０】従来のまつ毛エクステンション用人工まつ毛の装着方法を示す概略図である。
【発明を実施するための形態】
【００１４】
以下、実施の形態について図面を参照して説明する。
【００１５】
図１は、実施の形態のまつ毛エクステンション用人工まつ毛の装着方法で装着するまつ毛エクステンション用人工まつ毛１を模式的に示す上面図である。図２は、実施の形態のまつ毛エクステンション用人工まつ毛の装着方法で装着するまつ毛エクステンション用人工まつ毛１を模式的に示す側面図である。
【００１６】
図１および図２に示すように、人工まつ毛１は、人工毛２の複数本の一端側を束ねた束部３と、束部３から延びる人工毛２の複数本の部分から構成される本体部４とを有する。
【００１７】
束部３は、人工毛２の複数本の基部を束ねている。人工毛２の複数本の基部は、接着剤５を介して、互いに接着している。また、束部３は、被装着者の上まつ毛の長手方向に延設される。
【００１８】
本体部４は、人工まつ毛１の束部３以外の部分を構成する。図１に示すように、本体部４において、人工毛２の複数本は、人工まつ毛１の基部１ａ側から先端部１ｂ側に行くにつれて、幅方向に徐々に広がっている。すなわち、本体部４は、扇状に広がっている。
【００１９】
ここで、図１において、束部３の延設方向を長手方向という。また、長手方向に対して垂直な方向を幅方向という。
【００２０】
図１に示すように、本体部４の幅Ｗ４は、束部３の幅Ｗ３よりも広い。例えば、本体部４の幅Ｗ４は、束部３から人工まつ毛１の先端部１ｂ側に行くにつれて、幅方向に徐々に広がっている。なお、束部３の幅Ｗ３とは、幅方向における束部３の最大幅である。ここでは、束部３の幅Ｗ３は、人工まつ毛１の先端部１ｂ側における束部３の幅である。
【００２１】
本体部４の幅Ｗ４と束部３の幅Ｗ３との比（Ｗ４／Ｗ３）は、２以上４以下であることが好ましい。比（Ｗ４／Ｗ３）が上記範囲内であると、後述するように、人工まつ毛１の本体部４を容易に把持することができると共に、被装着者の目を大きく見せるようなまつ毛エクステンションの効果を向上させることができる。
【００２２】
また、本体部４の長さＬ４は、束部３の長さＬ３よりも長い。本体部４の長さＬ４と束部３の長さＬ３との比（Ｌ４／Ｌ３）は、２以上４以下であることが好ましい。比（Ｌ４／Ｌ３）が上記範囲内であると、人工まつ毛１の強度を維持しながら、まつ毛エクステンションの効果を向上させることができる。
【００２３】
また、図２に示すように、人工まつ毛１は、基部１ａから先端部１ｂに向かって、人工まつ毛１の上側１ｃへ弓状に反っている。すなわち、人工まつ毛１は、上側１ｃが凹となるように湾曲している。換言すると、人工まつ毛１は、下側１ｄが凸となるように湾曲している。
【００２４】
後述するように、人工まつ毛１は、被装着者の上瞼から生えている上まつ毛（以下、上まつ毛ともいう）に装着する。一般的に、上まつ毛は、人工まつ毛１と同様に、上まつ毛の上側が凹となるように湾曲している。そのため、上側１ｃへ弓状に反っている人工まつ毛１の曲率半径は、被装着者の上まつ毛の曲率半径以下であることが好ましい。人工まつ毛１の曲率半径が上まつ毛の曲率半径以下であると、まつ毛エクステンションの効果がさらに向上する。
【００２５】
なお、人工まつ毛１を構成する人工毛２の全てにおいて、太さ、長さ、曲率半径などの形状が同じであってもよいし、人工毛２の一部において、形状が異なってもよい。また、人工毛２の１本の太さ、長さ、曲率半径は、特に限定されるものではない。
【００２６】
また、束部３の幅Ｗ３の大きさは、特に限定されるものではない。例えば、束部３の幅Ｗ３が上まつ毛の１本の太さよりも大きいと、後述する接着工程において、人工まつ毛１を被装着者の上まつ毛に容易に接着することができる。また、後述するように、束部３の幅Ｗ３は、図７に示すように、上まつ毛２１の各々の隙間の間隔Ｗ２１よりも広いことが好ましい。束部３の幅Ｗ３が間隔Ｗ２１よりも広いと、束部３と上まつ毛２１との接着時に上まつ毛２１を保持しなくても、束部３を上まつ毛２１の複数本に容易に接着することができる。
【００２７】
図３は、人工まつ毛１を構成する束部３を模式的に示す断面図の一例である。なお、図３は、図１のＡ−Ａ線に沿った断面図である。図３に示すように、束部３で保持されている人工毛２の複数本は、接着剤５を介して互いに接触するように、結束されている。束部３において、結束されている人工毛２の複数本は、例えば束部３の幅方向に一列で配置されている。接着剤５は、人工毛２の各々の間の隙間を充填している。
【００２８】
また、図３に示すように、束部３の上側３ｃは平滑であることが好ましい。束部３の上側３ｃが平滑であると、後述する接着工程において、人工まつ毛１を被装着者の上まつ毛に容易に接着することができると共に、人工まつ毛１を上まつ毛の複数本に安定して装着することができる。また、人工まつ毛１を装着した上まつ毛の美観性の観点から、束部３の下側３ｄは平滑であることが好ましい。
【００２９】
図４は、人工まつ毛１を構成する束部３を模式的に示す断面図の他の例である。上記では、図３に示すように、人工毛２の複数本が束部３の幅方向に一列で配置されている一例を示したが、図４に示すように、人工毛２の複数本は束部３の幅方向に複数列で配置されていてもよい。人工毛２の複数本が束部３の幅方向に複数列で配置される場合、配置される人工毛２の数は、全ての列で同じであってもよいし、一部の列で異なってもよい。また、束部３の幅方向に配置される人工毛２の列数は、特に限定されるものではなく、二列であってもよいし、三列以上であってもよい。
【００３０】
また、上記では、図３および図４に示すように、人工毛２の複数本が接着剤５を介して束ねられる例を示したが、人工毛２の複数本は接着剤５の他に図示しない環状の結束部材で結束されてもよい。人工毛２の複数本が結束部材で結束される場合、接着剤５で束ねられている人工毛２の複数本を結束部材でさらに束ねてもよいし、結束部材で束ねられている人工毛２の複数本を接着剤５でさらに束ねてもよい。
【００３１】
次に、人工まつ毛１の装着方法について説明する。
【００３２】
実施の形態の人工まつ毛１の装着方法は、塗布工程と接着工程とを有し、被装着者の目を開いた状態の上まつ毛に人工まつ毛１を装着する。塗布工程では、人工まつ毛１の束部３の上側３ｃの表面に接着剤を塗布する。接着工程では、接着剤を塗布した人工まつ毛１の１本の束部３の上側３ｃの表面を、目を開いた状態の上まつ毛の複数本の下側の表面に下方から接着する。
【００３３】
まず、塗布工程について詳細に説明する。
【００３４】
図５は、実施の形態のまつ毛エクステンション用人工まつ毛１の装着方法における塗布工程を示す概略図である。塗布工程では、ピンセット１０などの把持部材で人工まつ毛１を把持しながら、人工まつ毛１の束部３における上側３ｃの表面に接着剤６を塗布する。人工まつ毛１に塗布する接着剤６は、グルーと呼ばれるまつ毛エクステンション用接着剤である。
【００３５】
ここでは、グループレート１１の上に接着剤６を出した後に、ピンセット１０で人工まつ毛１を把持して、人工まつ毛１に接着剤６を塗布する方法について説明するが、ピンセット１０で人工まつ毛１を把持した後に、グループレート１１の上に接着剤６を出して、人工まつ毛１に接着剤６を塗布してもよい。
【００３６】
塗布工程において、人工まつ毛１の束部３以外の部分、すなわち人工まつ毛１の本体部４を把持しながら、束部３の上側３ｃの表面に接着剤６を塗布することが好ましい。図１に示すように、本体部４の幅Ｗ４は、束部３の幅Ｗ３や、図１０に示すような従来の人工まつ毛１０１の１本の太さよりも大きい。そのため、図５に示すように、人工毛２の複数本を把持するように本体部４を把持することによって、装着者が人工まつ毛１を容易に安定して把持することができると共に、塗布工程の操作性が向上する。
【００３７】
また、塗布工程において、束部３の上側３ｃの表面のみに接着剤６を塗布することが好ましい。束部３の上側３ｃの表面のみに接着剤６が塗布されていると、後述するように、図６において、被装着者２０の上まつ毛２１の下側２１ｄに装着した人工まつ毛１が他人からきれいに見える。
【００３８】
一方で、接着剤６が束部３の上側３ｃ以外の表面、例えば束部３の下側３ｄの表面にも塗布されていると、図６に示すように、人工まつ毛１を上まつ毛２１の下側２１ｄの表面に装着したときに、束部３の下側３ｄの表面に付着している接着剤６が他人から見えてしまい、装着した人工まつ毛１が不自然に見えてしまうことがある。また、図１０に示すように、従来では、人工まつ毛１０１の表面の全体に接着剤１０６を塗布している。そのため、人工まつ毛１０１を被装着者のまつ毛１２１に装着したときに、まつ毛１２１と接着していない人工まつ毛１０１の部分に付着している接着剤１０６が他人から見えてしまい、装着した人工まつ毛１０１が不自然に見えてしまうことがある。
【００３９】
このように、被装着者２０の上まつ毛２１との接着に無関係であって人工まつ毛１に付着している接着剤６が他人から不自然に見えてしまうと、まつ毛エクステンションの効果は十分に得られないことがある。一方、束部３の上側３ｃの表面のみに接着剤６を塗布すると、接着剤６は、上まつ毛２１と接着する人工まつ毛１の部分のみに付着し、上まつ毛２１と接着しない人工まつ毛１の部分である束部３の下側３ｄには付着しない。そのため、人工まつ毛１を上まつ毛２１の下側２１ｄに装着したときに、人工まつ毛１を装着したまつ毛が他人からきれいに見えるので、まつ毛エクステンションの効果は向上する。
【００４０】
また、束部３の上側３ｃの表面のみに接着剤６を塗布するので、従来よりも、接着剤６の消費量を抑制することができる。
【００４１】
なお、塗布工程において、被装着者の上まつ毛２１と接着しない人工まつ毛１の部分、すなわち束部３の上側３ｃ以外の表面部分に接着剤６が塗布された場合には、束部３の上側３ｃ以外の表面部分に塗布された接着剤６を除去することが好ましい。束部３の上側３ｃ以外の表面部分に塗布された接着剤６を除去することによって、人工まつ毛１における束部３の上側３ｃの表面のみに接着剤６が塗布された状態になる。
【００４２】
次に、接着工程について詳細に説明する。
【００４３】
図６および図７は、実施の形態のまつ毛エクステンション用人工まつ毛１の装着方法における接着工程を示す概略図である。なお、図６は、被装着者２０の側方から見た図であり、図７は、被装着者２０の上方から見た図である。
【００４４】
図６および図７に示すように、接着工程では、接着剤６を束部３の上側３ｃの表面に塗布した人工まつ毛１をピンセット１０などの把持部材で把持しながら、人工まつ毛１の１本の束部３の上側３ｃの表面を、被装着者２０の目２２を開いた状態の上まつ毛２１の複数本の下側２１ｄの表面に下方から接着する。人工まつ毛１を被装着者２０の上まつ毛２１に接着した後、接着剤６を乾燥させることによって、人工まつ毛１が接着剤６を介して被装着者２０の上まつ毛２１に装着される。
【００４５】
また、接着工程において、束部３の上側３ｃを上まつ毛２１の下側２１ｄに接着する位置は、特に限定されるものではない。例えば、束部３は、目２２を開いた状態の上瞼２３から上まつ毛２１の先端側の方向に０．５ｍｍ以上１．０ｍｍ以下離れた位置から上まつ毛２１の先端側に向かって接着される。束部３の基部と上瞼２３との距離が０．５ｍｍ以上であると、接着工程において人工まつ毛１の束部３を上まつ毛２１に容易に接着することができ、上まつ毛２１への人工まつ毛１の装着を安定して維持することができ、人工まつ毛１を装着した上まつ毛２１の根本近傍からの上側への湾曲状態を維持することができる。また、束部３の基部と上瞼２３との距離が１．０ｍｍ以下であると、人工まつ毛１の重さによる上まつ毛２１の先端側の下方へのたるみは抑制される。
【００４６】
接着剤６は、常温で自然乾燥させてもよいし、ドライヤーなどの加熱装置によって加熱乾燥させてもよい。また、接着剤６の乾燥時には、人工まつ毛１をピンセット１０で把持し続けてもよいし、人工まつ毛１を把持しなくてもよい。
【００４７】
ここでは、人工まつ毛１を上まつ毛２１に接着した後に接着剤６を乾燥させる方法について説明したが、人工まつ毛１の上まつ毛２１への接着と接着剤６の乾燥とが同時に完了してもよい。
【００４８】
このように、接着工程では、人工まつ毛１の１本の束部３を上まつ毛２１の複数本に接着するので、人工まつ毛１の１本を上まつ毛２１に容易に装着することができる。図１０に示すように、従来のまつ毛エクステンションでは、人工まつ毛１０１の複数本をまつ毛１２１の１本に装着するので、例えば従来のまつ毛エクステンションの施術に１〜２時間程度かかる。その一方、実施の形態のまつ毛エクステンション用人工まつ毛の装着方法では、人工まつ毛１の１本を上まつ毛２１の複数本に装着するので、人工まつ毛１を上まつ毛２１に短時間で装着することができ、例えばまつ毛エクステンションの施術が５〜１０分程度に大幅に短縮することができる。
【００４９】
さらに、接着工程では、人工まつ毛１の１本を上まつ毛２１の複数本に装着するので、図１０に示すような人工まつ毛１０１の１本を上まつ毛１２１の１本に装着する場合に比べて、人工まつ毛１と上まつ毛２１との接着箇所および接触面積が増える。すなわち、上まつ毛２１の複数本が人工まつ毛１の１本を支持している。そのため、人工まつ毛１と上まつ毛２１との接着箇所の一部分で接着不良が生じても、他の接着箇所で人工まつ毛１と上まつ毛２１との接着が維持されるので、人工まつ毛１の接着姿勢を維持することができると共に、上まつ毛２１からの人工まつ毛１の脱落を抑制することができる。
【００５０】
また、上まつ毛２１の複数本が人工まつ毛１の１本を支持しているので、図１０に示すようなまつ毛１２１の１本が人工まつ毛１０１の複数本を支持する場合に比べて、上まつ毛２１の１本当たりにかかる人工まつ毛１の重量負担は低下する。そのため、人工まつ毛１の重さによる上まつ毛２１の損傷は抑制される。
【００５１】
人工まつ毛１を装着した上まつ毛２１は、目２２を大きく見せる、まつ毛を美しく見せる、まつ毛をボリュームアップさせるなどのまつ毛エクステンションの効果を容易に得ることができる。
【００５２】
また、図７に示すように、接着工程では、上まつ毛２１の各々の隙間の間隔Ｗ２１よりも広い幅Ｗ３を有する束部３は、上まつ毛２１に接着する。図１０に示すような従来のまつ毛エクステンションでは、まつ毛１２１のターゲットの１本に人工まつ毛１０１を確実に装着するため、人工まつ毛１０１の装着時に、人工まつ毛１０１を装着させるまつ毛１２１のターゲットの１本の近傍に生えているまつ毛１２１のターゲット以外の複数本を掻き分けるなど、まつ毛１２１を保持する必要がある。一方、人工まつ毛１における束部３の幅Ｗ３は上まつ毛２１の間隔Ｗ２１よりも広いので、束部３と上まつ毛２１との接着時に上まつ毛２１を保持しなくても、束部３を上まつ毛２１のターゲットの複数本に容易に接着することができる。
【００５３】
また、図６に示すように、接着工程では、被装着者２０の目２２を開いた状態で、人工まつ毛１を上まつ毛２１に接着する。すなわち、まつ毛エクステンションの施術時に、被装着者２０が目２２を開けながら、装着者は人工まつ毛１を被装着者２０の上まつ毛２１に接着する。一方、従来のまつ毛エクステンションでは、被装着者は施術中に目を閉じている。
【００５４】
被装着者２０の目２２が接着工程時に開いていると、装着者であるまつ毛エクステンションの施術士または被装着者２０が施術時に手鏡などを用いて被装着者２０の顔を映すことによって、被装着者２０は、人工まつ毛１と上まつ毛２１との接着状態を随時確認することができる。そのため、まつ毛エクステンションの施術時に、被装着者２０は、人工まつ毛１と上まつ毛２１との接着状態を確認しながら、自らの好みに応じて、上まつ毛２１に対する人工まつ毛１の接着状態を随時調整することができる。
【００５５】
また、接着工程において、被装着者２０が自ら束部３の上側３ｃの表面を上まつ毛２１の下側２１ｄの表面に接着してもよい。人工まつ毛１の１本を上まつ毛２１の複数本に容易に、かつ、被装着者２０の目２２を開けながら、接着することができる。そのため、従来のまつ毛エクステンションでは非常に困難であった上まつ毛２１への人工まつ毛１の装着を、被装着者２０が自ら実施することができる。すなわち、被装着者２０が装着者となる。例えば、接着工程と共に、接着工程よりも難易度の低い塗布工程を被装着者２０が自ら行うことによって、被装着者２０は施術士にまつ毛エクステンションの施術を依頼することが不要になり、まつ毛エクステンションの施術料の費用が削減できる。
【００５６】
なお、塗布工程および接着工程の全てを施術士が行ってもよいし、塗布工程および接着工程の一方を施術士が行い、他方を被装着者２０が行ってもよい。
【００５７】
また、接着工程において、被装着者２０の上半身を直立にした状態で、束部３の上側３ｃの表面を上まつ毛２１の下側２１ｄの表面に接着することが好ましい。図８は、実施の形態のまつ毛エクステンション用人工まつ毛１の装着方法における接着工程を示す概略図である。図８に示すように、着座している被装着者２０の上半身２５を直立にすることがより好ましい。ここで、被装着者２０の上半身２５が直立であるとは、被装着者２０の上半身２５が起こされた状態であり、被装着者２０は、立っていてもよいし、図８のように座っていてもよい。例えば、被装着者２０が座りながら上半身２５を直立にする場合、椅子２７などに座っている被装着者２０の上半身２５と上脚２６との角度は特に限定されるものではなく、被装着者２０の上半身２５が起こされていれば、被装着者２０の上半身２５と上脚２６との角度は垂直でなくてもよい。
【００５８】
ここで、従来では、まつ毛エクステンションの施術時間は非常に長い。そのため、施術時の被装着者２０へのサービスの向上や被装着者２０の疲労度の抑制などの観点から、被装着者２０の上半身２５を上向きにして寝かせた状態、すなわち被装着者２０を仰向けの状態に維持しながら、施術士が被装着者２０に対してまつ毛エクステンションの施術を行う。一方で、実施の形態の人工まつ毛１の装着方法では、従来よりもまつ毛エクステンションの施術時間が短縮できる。そのため、施術時に被装着者２０を仰向けに寝かせなくても、例えば被装着者２０の上半身２５を直立にさせても、被装着者２０へのサービスの向上や被装着者２０の疲労度の抑制は大幅には低下しない。さらに、接着工程時に、被装着者２０が立つ場合に比べて、被装着者２０が座りながら上半身２５を直立にすると、サービスの向上や疲労度の抑制はさらに改善され、被装着者２０の姿勢はさらに安定する。
【００５９】
さらに、接着工程時に、被装着者２０の上半身２５を直立にした状態で、被装着者２０のまつ毛エクステンションの施術を行う場合、鏡台や化粧台のような垂直に設置した鏡を備える一般的な家具を用いて被装着者２０の顔を映すことができる。そのため、装着者または被装着者２０が施術時に手鏡を持たなくても、被装着者２０は人工まつ毛１と上まつ毛２１との接着状態を確認することができる。
【００６０】
例えば、接着工程において、被装着者２０が上半身２５を直立にした状態で、被装着者２０が自ら人工まつ毛１を上まつ毛２１に接着する場合、まつ毛エクステンションの施術士のサポートがなく、かつ、被装着者２０が片方の手で手鏡を持たずに、被装着者２０は、自ら人工まつ毛１への上まつ毛２１の接着や、人工まつ毛１と上まつ毛２１との接着状態を容易に確認できる。
【００６１】
また、図７に示すように、接着工程において、上まつ毛２１の長手方向に沿って、束部３の上側３ｃの表面を上まつ毛２１の下側２１ｄの表面に接着することが好ましい。例えば、人工まつ毛１の束部３が上まつ毛２１の長手方向に対して４５度で交差するように、束部３を上まつ毛２１に接着すると、人工まつ毛１を装着した被装着者２０のまつ毛は不自然に見えてしまい、まつ毛エクステンションの効果が低下することがある。一方、上まつ毛２１の長手方向に沿って、束部３を上まつ毛２１に接着することによって、人工まつ毛２１を装着したまつ毛は自然に見えるので、まつ毛エクステンションの効果は十分に発揮される。
【００６２】
また、接着工程において、束部３の上側３ｃの全面を上まつ毛２１の下側２１ｄの表面に接着することが好ましい。束部３の上側３ｃの全面を上まつ毛２１の下側２１ｄの表面に接着することによって、束部３の上側３ｃと上まつ毛２１の下側２１ｄとの接着面積が増えるので、束部３と上まつ毛２１との接着強度は増加する。そのため、人工まつ毛１は、被装着者２０の上まつ毛２１に長期間安定して装着されることができる。
【００６３】
また、接着工程において、人工まつ毛１の束部３以外の部分、すなわち本体部４を把持しながら、束部３の上側３ｃを上まつ毛２１の下側２１ｄに接着することが好ましい。上述したように、本体部４の幅Ｗ４は、束部３の幅Ｗ３や、図１０に示すような従来の人工まつ毛１０１の１本の太さよりも大きい。そのため、図６に示すように、人工毛２の複数本を把持するように本体部４を把持することによって、装着者が人工まつ毛１を容易に安定して把持することができると共に、接着工程の操作性が向上する。
【００６４】
また、図９は、実施の形態のまつ毛エクステンション用人工まつ毛１の装着方法における接着工程を示す概略図である。上記では、図７に示すように、束部３の幅Ｗ３が上まつ毛２１の各々の隙間の間隔Ｗ２１よりも広い一例について説明したが、図９に示すように、束部３の幅Ｗ３は上まつ毛２１の各々の隙間の間隔Ｗ２１より狭くてもよい。
【００６５】
束部３の幅Ｗ３が間隔Ｗ２１より狭い場合、例えば、人工まつ毛１の装着時に、上まつ毛２１のターゲットの複数本の先端側を近づけるように上まつ毛２１のターゲットの複数本を寄せるなど、上まつ毛２１を保持する。また、このような上まつ毛２１の保持をせずに、束部３と上まつ毛２１のターゲットの１本とを接着させた後、上まつ毛２１のターゲットの１本との接着を維持しながら束部３を移動させて、束部３を上まつ毛２１の他のターゲットの１本に接着させてもよい。
【００６６】
上記したように、実施の形態のまつ毛エクステンション用人工まつ毛１の装着方法によれば、接着工程において、人工まつ毛１の１本における束部３の上側３ｃの表面を、被装着者２０の目２２を開いた状態の上まつ毛２１の複数本における下側２１ｄの表面に下方から接着する。接着工程では、人工まつ毛１の束部３を被装着者２０の上まつ毛２１に容易に接着することができる。そのため、たとえ上まつ毛２１が細い場合であっても、被装着者２０は目２２を開けながら短時間で容易に人工まつ毛１を上まつ毛２１に自ら装着することができる。また、人工まつ毛１の１本は、被装着者２０の上まつ毛２１の複数本によって支持されている。そのため、上まつ毛２１の１本当たりの重量負担を軽減することができる。さらには、上まつ毛２１と人工まつ毛１との接触不良が一部で起きても、上まつ毛２１と人工まつ毛１との装着状態を長時間安定して維持することができる。
【００６７】
さらには、被装着者２０が自ら人工まつ毛１を上まつ毛２１に装着することができる。そのため、被装着者２０は、まつ毛エクステンションの施術を施術士に依頼することが不要になると共に、まつ毛エクステンションの施術料の費用を削減することができる。
【００６８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６９】
１，１０１…まつ毛エクステンション用人工まつ毛、１ａ…基部、１ｂ…先端部、１ｃ…上側、１ｄ…下側、２…人工毛、３…束部、３ｃ…上側、３ｄ…下側、４…本体部、５，６，１０６…接着剤、１０，１１０…ピンセット、１１…グループレート、２０…被装着者、２１…上まつ毛、２１ｄ…下側、２２…目、２３…上瞼、２５…上半身、２６…上脚、２７…椅子、１２１…まつ毛、１２３…瞼。
【図１】
2018076626.tif 000003
【図２】
2018076626.tif 000004
【図３】
2018076626.tif 000005
【図４】
2018076626.tif 000006
【図５】
2018076626.tif 000007
【図６】
2018076626.tif 000008
【図７】
2018076626.tif 000009
【図８】
2018076626.tif 000010
【図９】
2018076626.tif 000011
【図１０】
2018076626.tif 000012